(57)【特許請求の範囲】
【請求項１】
コヒーレント結合伝送のために構成された進化型ノードＢ（ｅＮＢ）であって、
マルチノードチャネル状態情報（ＣＳＩ）参照信号（ＲＳ）（ＣＳＩ−ＲＳ）をリソースブロックの所定のリソース要素において結合的に伝送するように、少なくとも第１協調地点と第２協調地点を構成し；
ＣＳＩレポートを、ユーザ装置（ＵＥ）からのフィードバックとして受信し、該ＣＳＩレポートは、前記マルチノードＣＳＩ−ＲＳに基づく前記第１および第２協調地点間の相対位相情報を示すプリコーディング行列表示（ＰＭＩ）を含み；
前記ｅＮＢは、追加のＣＳＩレポートを前記ＵＥからのフィードバックとして受信し、前記追加のＣＳＩレポートは、前記コヒーレント結合伝送の結合ビームフォーミングにおいて使用するためのシングルノードＣＳＩ−ＲＳのそれぞれに対するシングルノードＰＭＩを含み；
前記ｅＮＢは、少なくとも前記第１および第２協調地点を、少なくとも前記相対位相情報に基づいて、前記ＵＥへのコヒーレント結合伝送のために構成する、
ｅＮＢ。
【請求項２】
請求項１に記載のｅＮＢであって、前記協調地点のそれぞれによって伝送されるマルチノードＣＳＩ−ＲＳは同じビットシーケンスに基づいており、
異なるアンテナポートによる前記マルチノードＣＳＩ−ＲＳの伝送は区別可能であり、
当該ｅＮＢは、マルチノードＣＳＩ−ＲＳのための前記ＣＳＩレポートをランク１のＰＭＩに制限するように前記ＵＥに示すように構成された、
ｅＮＢ。
【請求項３】
請求項２に記載のｅＮＢであって、前記第１および第２協調地点は異なるセル識別子（ＩＤ）を有する異なるセルに関連付けられ、
前記協調地点のそれぞれによって伝送されるマルチノードＣＳＩ−ＲＳはセルＩＤとは独立している、
ｅＮＢ。
【請求項４】
請求項２に記載のｅＮＢであって、前記協調地点のそれぞれによって伝送されるマルチノードＣＳＩ−ＲＳは、ＮＴＸ（Ｎ送信アンテナポート）のＣＳＩ−ＲＳであり、Ｎは、前記協調地点によって同時に前記マルチノードＣＳＩ−ＲＳを伝送するために使用されるアンテナポートの数に対応し、
前記ＰＭＩはＮＴＸのＰＭＩである、
ｅＮＢ。
【請求項５】
請求項４に記載のｅＮＢであって、前記マルチノードＣＳＩ−ＲＳは、前記第１協調地点の第１アンテナポートおよび前記第２協調地点の第２アンテナポートによって同時に伝送され、
前記ＵＥは、前記シーケンスに適用される直交補完符号に基づいて、前記第１および第２アンテナポート上の前記マルチノードＣＳＩ−ＲＳの伝送を見分けるように構成された、
ｅＮＢ。
【請求項６】
請求項４に記載のｅＮＢであって、前記マルチノードＣＳＩ−ＲＳのためのチャネル品質表示（ＣＱＩ）およびランク表示（ＲＩ）レポートを無効にするように前記ＵＥに通知するようにさらに構成された、
ｅＮＢ。
【請求項７】
請求項４に記載のｅＮＢであって、前記ランク１のＰＭＩは、相対位相情報を示すＮＴＸコードブックからの定量化位相値を含む所定の構造を有する一定絶対値特性を持つ、
ｅＮＢ。
【請求項８】
請求項４に記載のｅＮＢであって、さらに、第１シングルノードＣＳＩ−ＲＳを前記リソースブロックの第１リソース要素において伝送するように前記第１協調地点を構成し、
第２シングルノードＣＳＩ−ＲＳを前記リソースブロックの第２リソース要素において伝送するように前記第２協調地点を構成する、
ｅＮＢ。
【請求項９】
請求項８に記載のｅＮＢであって、前記第１シングルノードＣＳＩ−ＲＳ、前記第２シングルノードＣＳＩ−ＲＳ、および、前記マルチノードＣＳＩ−ＲＳは、各アンテナポートに対して一意に符号化され、異なるアンテナポートからの伝送をＵＥが区別することを可能にし、
前記第１シングルノードＣＳＩ−ＲＳは、ＮＴＸのＣＳＩ−ＲＳであり、Ｎは、前記第１協調地点によって前記第１シングルノードＣＳＩ−ＲＳを伝送するために使用されるアンテナポートの第１の数に対応し、
前記第２シングルノードＣＳＩ−ＲＳは、ＮＴＸのＣＳＩ−ＲＳであり、Ｎは、前記第２協調地点によって前記第２シングルノードＣＳＩ−ＲＳを伝送するために使用されるアンテナポートの第２の数に対応する、
ｅＮＢ。
【請求項１０】
請求項４に記載のｅＮＢであって、前記マルチノードＣＳＩ−ＲＳのための前記ＣＳＩレポートは、チャネル品質表示（ＣＱＩ）報告無しを示す非周期的ＣＳＩレポートモードに従って構成される、
ｅＮＢ。
【請求項１１】
２以上の伝送地点からのコヒーレント結合伝送のための方法であって、
マルチノードチャネル状態情報（ＣＳＩ）参照信号（ＲＳ）（ＣＳＩ−ＲＳ）をリソースブロックの所定のリソース要素において結合的に伝送するように、少なくとも第１協調地点と第２協調地点を構成するステップと、
ＣＳＩレポートをユーザ装置（ＵＥ）からのフィードバックとして受信するステップであって、前記ＣＳＩレポートは、前記マルチノードＣＳＩ−ＲＳに基づく、前記第１および第２協調地点間の相対位相情報を示すプリコーディング行列表示（ＰＭＩ）を含み、前記マルチノードＣＳＩ−ＲＳに対する前記ＣＳＩレポートはランク１のＰＭＩに制限される、ステップと、
追加のＣＳＩレポートを前記ＵＥからのフィードバックとして受信するステップであって、前記追加のＣＳＩレポートは、前記コヒーレント結合伝送の結合ビームフォーミングにおいて使用するためのシングルノードＣＳＩ−ＲＳのそれぞれに対するシングルノードＰＭＩを含む、ステップと、
少なくとも前記第１および第２協調地点を、少なくとも前記相対位相情報に基づいて、前記ＵＥへのコヒーレント結合伝送のために構成する構成ステップと、
を有する方法。
【請求項１２】
請求項１１に記載の方法であって、前記マルチノードＣＳＩ−ＲＳのための前記ＣＳＩレポートをランク１のＰＭＩに制限することを前記ＵＥに通知するステップをさらに有し、
前記協調地点のそれぞれによって伝送される前記マルチノードＣＳＩ−ＲＳは同じビットシーケンスに基づき、
異なるアンテナポートによる前記マルチノードＣＳＩ−ＲＳの伝送は区別可能である、
方法。
【請求項１３】
請求項１２に記載の方法であって、前記協調地点のそれぞれによって伝送される前記マルチノードＣＳＩ−ＲＳはＮＴＸのＣＳＩ−ＲＳであり、
Ｎは、前記マルチノードＣＳＩ−ＲＳを同時に伝送するための、前記協調地点によって使用されるアンテナポートの数に対応し、
前記ＰＭＩはＮＴＸのＰＭＩである、
方法。
【請求項１４】
請求項１３に記載の方法であって、
前記リソースブロックの第１リソース要素において第１シングルノードＣＳＩ−ＲＳを伝送するように、前記第１協調地点を構成するステップと、
前記リソースブロックの第２リソース要素において第２シングルノードＣＳＩ−ＲＳを伝送するように、前記第２協調地点を構成するステップと、
をさらに有する、
方法。
【請求項１５】
コヒーレント結合伝送のために構成された進化型ノードＢ（ｅＮＢ）であって、
２送信アンテナ（２ＴＸ）のチャネル状態情報（ＣＳＩ）参照信号（ＲＳ）（２ＴＸのＣＳＩ−ＲＳ）を、リソースブロックの所定のリソース要素において結合的に伝送するように、第１協調地点および第２協調地点を構成し、
ＣＳＩレポートをユーザ装置（ＵＥ）からのフィードバックとして受信し、該ＣＳＩレポートは、前記２ＴＸのＣＳＩ−ＲＳに基づく前記２ＴＸのプリコーディング行列表示（ＰＭＩ）を含み、該２ＴＸのＰＭＩは、前記第１および第２協調地点間の相対位相情報を示し、
前記ｅＮＢは、追加のＣＳＩレポートを、前記ＵＥからのフィードバックとして受信し、前記追加のＣＳＩレポートは、前記コヒーレント結合伝送の結合ビームフォーミングにおいて使用するためのシングルノードＣＳＩ−ＲＳのそれぞれに対するシングルノードＰＭＩを含み、
前記ｅＮＢは、前記第１および第２協調地点を、少なくとも前記相対位相情報に基づいて、ＵＥへのコヒーレント結合伝送のために構成する、
ｅＮＢ。
【請求項１６】
請求項１５に記載のｅＮＢであって、前記２ＴＸのＣＳＩ−ＲＳを生成するために使用されるビットシーケンスは、構成可能な種から生成され、
当該ｅＮＢは、前記構成可能な種を前記ＵＥに通知するように構成され、
当該ｅＮＢは、前記２ＴＸのＣＳＩ−ＲＳに対する前記ＣＳＩレポートをランク１の２ＴＸのＰＭＩに制限することを前記ＵＥに示すように更に構成された、
ｅＮＢ。
【請求項１７】
請求項１６に記載のｅＮＢであって、前記第１および第２協調地点は、異なるセル識別子（ＩＤ）を有する異なるセルに関連付られ、
前記２ＴＸのＣＳＩ−ＲＳは、前記セルＩＤと独立した前記構成可能な種から生成され、
前記２ＴＸのＣＳＩ−ＲＳは、前記第１協調地点の第１アンテナポートと前記第２協調地点の第２アンテナポートによって同時に伝送され、
前記ＵＥは、前記ビットシーケンスに適用される直交補完符号に基づいて、前記第１および第２アンテナポート上の前記２ＴＸのＣＳＩ−ＲＳの伝送を見分けるように構成される、
ｅＮＢ。
【請求項１８】
コヒーレント結合伝送のために構成された進化型ノードＢ（ｅＮＢ）であって、
チャネル状態情報（ＣＳＩ）レポートをユーザ装置（ＵＥ）からのフィードバックとして受信し、該ＣＳＩレポートは、第１および第２協調地点間の相対位相情報を示すプリコーディング行列表示（ＰＭＩ）を含み、該相対位相情報は、結合的に伝送されたマルチノードＣＳＩ参照信号（ＲＳ）（ＣＳＩ−ＲＳ）に基づいており、前記マルチノードＣＳＩ−ＲＳに対する前記ＣＳＩレポートはランク１のＰＭＩに制限されており；
前記ｅＮＢは、追加のＣＳＩレポートを前記ＵＥからのフィードバックとして受信し、該追加のＣＳＩレポートは、複数のシングルノードＣＳＩ−ＲＳのそれぞれに対するシングルノードＰＭＩを含み；
前記ｅＮＢは、少なくとも前記第１および第２協調地点を、少なくとも前記相対位相情報に基づいて、前記ＵＥのためのコヒーレント結合伝送のために構成し、前記コヒーレント結合伝送は前記シングルノードＰＭＩに基づいて結合的にビームフォーミングされる、
ｅＮＢ。
【請求項１９】
請求項１８に記載のｅＮＢであって、前記協調地点のそれぞれによって伝送される前記マルチノードＣＳＩ−ＲＳは、構成可能な種から生成される同じビットシーケンスに基づいており、
当該ｅＮＢは、前記構成可能な種を前記ＵＥに通知するように構成されており、
第１シングルノードＣＳＩ−ＲＳおよび第２シングルノードＣＳＩ−ＲＳは、セル識別子に関係する異なるビットシーケンスに基づいている、
ｅＮＢ。
【請求項２０】
請求項１９に記載のｅＮＢであって、さらに、
相対位相の測定において使用するためのリソースブロックの所定のリソース要素において前記マルチノードＣＳＩ−ＲＳを結合的に伝送するように、少なくとも前記第１協調地点および前記第２協調地点を構成し；
前記リソースブロックの第１リソース要素において前記第１シングルノードＣＳＩ−ＲＳを伝送するように、前記第１協調地点を構成し；
前記リソースブロックの第２リソース要素において前記第２シングルノードＣＳＩ−ＲＳを伝送するように、前記第２協調地点を構成する、
ｅＮＢ。
【発明の詳細な説明】
【技術分野】
【０００１】
本発明の実施形態は、無線通信に関する。いくつかの実施形態は、無線ネットワークにおける多地点協調（ＣｏＭＰ）オペレーションに関する。いくつかの実施形態は、コヒーレントＣｏＭＰ伝送に関する。いくつかの実施形態は、多入力多出力（ＭＩＭＯ）通信技術に関する。いくつかの実施形態は、３ＧＰＰのＬＴＥ−Ａ標準に従ってオペレーションする無線ネットワークに関する。
【背景技術】
【０００２】
ＣｏＭＰオペレーションは、地理的に離れた複数の伝送地点（即ち、基地局、進化型ノードＢ（ｅＮＢ）またはリモート無線ヘッド（ＲＲＨ））を用いた、送信および／または受信の動的な協調を可能とする広範囲の技術を含む。ＣｏＭＰオペレーションは、全体的なシステム性能の拡張、より効果的なリソースの利用、そしてエンドユーザのサービス品質の改善、を手助けし得る。各接続のためにいくつかのサイトを使用することは、全体的な受信の改善および呼損数の削減を可能にする。複数の伝送地点による結合伝送（ＪＴ）は、ユーザ装置における全体的な信号の改善を可能にする。
【０００３】
ＣｏＭＰオペレーションの持つ１つの問題は、これらの結合伝送の構成のために必要な情報を提供することである。他の問題は、報告のための上りリンクチャネルに関するオーバヘッドである。
【０００４】
こうして、改善されたＣｏＭＰ技術に対する一般的なニーズがある。また、削減されたオーバヘッドを有するフィードバックの提供を含む、ＣｏＭＰオペレーションにおけるフィードバックの提供に対する一般的なニーズがある。
【図面の簡単な説明】
【０００５】
【図１】いくつかの実施形態に従ったＪＴ（結合伝送）ＣｏＭＰオペレーションのために構成された無線ネットワークを示す図である。
【０００６】
【図２】いくつかの実施形態に従ったＣＳＩ−ＲＳリソース割当てと参照信号の伝送とを示す図である。
【０００７】
【図３】いくつかの実施形態に従ったｅＮＢの機能図である。
【０００８】
【図４】いくつかの実施形態に従ったコヒーレント結合伝送のための手順である。
【発明を実施するための形態】
【０００９】
以下の説明および図面は、当業者による実施形態の実施を可能にするために十分に、特定の実施形態を示す。他の実施形態は、構造的、論理的、電気的、プロセス的、およびその他の変更を取り込み得る。いくつかの実施形態の部分および特徴は、他の実施形態のポイントおよび特徴に含まれ得、または、他の実施形態のポイントおよび特徴のために置き換えられ得る。特許請求の範囲において説明される実施形態は、それらの特許請求の範囲のすべての利用可能な均等物を包含する。
【００１０】
図１は、いくつかの実施形態に従ったＪＴ（結合伝送）ＣｏＭＰオペレーションのために構成された無線ネットワークを示す。無線ネットワーク１００は、ｅＮＢ１０２と、第１協調地点１０４Ａおよび第２協調地点１０４Ｂを含む複数の協調地点１０４を含む。ｅＮＢ１０２は、これらの協調地点１０４の使用を通して、通信サービスをユーザ装置（ＵＥ）１０６等のユーザデバイスに提供し得る。
【００１１】
いくつかの実施形態において、無線ネットワーク１００は、３ＧＰＰのＬＴＥネットワークであり得、ｅＮＢ１０２は、コヒーレント結合伝送のために構成され得る。これらの実施形態において、ｅＮＢ１０２は、リソースブロックの所定のリソース要素において、マルチノードチャネル状態情報（ＣＳＩ）参照信号（ＲＳ）（ＣＳＩ−ＲＳ）を結合的に伝送するように、第１協調地点１０４Ａと第２協調地点１０４Ｂを構成し得る。各協調地点は、単一のアンテナまたは単一のアンテナポートを使用してマルチノードＣＳＩ−ＲＳを伝送し得る。ｅＮＢ１０２はまた、ＵＥ１０６からのフィードバックとしてＣＳＩレポートを受信するように構成し得る。ＣＳＩレポートは、マルチノードＣＳＩ−ＲＳに基づくマルチノードプリコーディング行列表示（ＰＭＩ）を含み得る。マルチノードＰＭＩは、第１および第２協調地点１０４Ａおよび１０４Ｂ間の相対位相情報を示し得る。ｅＮＢ１０２は、第１および第２協調地点１０４Ａおよび１０４Ｂを、少なくとも相対位相情報に基づくＵＥ１０６へのコヒーレント結合伝送１０５（即ち、ＣｏＭＰ伝送）のために構成し得る。
【００１２】
例示の実施形態において、２つのアンテナポートがマルチノードＣＳＩ−ＲＳを伝送するために使用されるとき（即ち、各協調地点の１つのアンテナ）、マルチノードＣＳＩ−ＲＳは、２送信アンテナポート（２ＴＸ）のＣＳＩ−ＲＳであり得、マルチノードＰＭＩは、２ＴＸのＰＭＩであり得る。実施形態の範囲はこの側面に限定されない。
【００１３】
いくつかの実施形態において、ｅＮＢ１０２は、第１および第２協調地点１０４Ａおよび１０４Ｂ間の相対位相情報を、報告されたマルチノードＰＭＩから抽出し得る。コヒーレント結合伝送１０５は、第１および第２協調地点１０４Ａおよび１０４Ｂからの信号がＵＥ１０６によって実質的に同位相で（コヒーレントに）受信されるＣｏＭＰ伝送であり得る。いくつかの実施形態において、コヒーレント結合伝送１０５は、下りリンク共有チャネル（いくつかのＬＴＥ実施形態における物理下りリンク共有チャネル（ＰＤＳＣＨ）等）上で伝送される情報を含む。いくつかの他の実施形態において、コヒーレント結合伝送１０５は、コヒーレント結合伝送をサポートする下りリンク制御チャネル（いくつかのＬＴＥ実施形態における物理下りリンク制御チャネル（ＰＤＣＣＨ）等）を含み得る。
【００１４】
いくつかの実施形態において、参照信号（即ち、マルチノードＣＳＩ−ＲＳ）は、協調地点１０４Ａおよび１０４Ｂの両方によって同じ時間および周波数リソース中で伝送され得る。マルチノードＣＳＩ−ＲＳは、同じビットシーケンスから生成され得る。これらの実施形態は、より詳細に以下で説明される。
【００１５】
いくつかの実施形態において、第１および第２協調地点１０４Ａおよび１０４Ｂは、リンク１０３上でｅＮＢ１０２と通信するリモート無線ヘッド（ＲＲＨ）を含み得る。リンク１０３は、光リンク、有線リンク、または無線リンクであり得る。いくつかの実施形態において、各ＲＲＨは、ｅＮＢ１０２によってサービスされるセルのセクタ内のＵＥに対して通信を提供するように配置され得る。もっとも、実施形態の範囲はこの側面に限定されない。いくつかの他の実施形態において、協調地点１０４Ａおよび１０４Ｂのどちらかまたは両方はｅＮＢであり得る。いくつかの実施形態において、各協調地点１０４Ａおよび１０４Ｂは、セクタまたはセルのために通信サービスを提供し得る。
【００１６】
図２は、いくつかの実施形態に従ったＣＳＩ−ＲＳリソース割当てと参照信号の伝送とを示す。リソースブロック（ＲＢ）２００は、リソース要素（ＲＥ）として参照され得る複数の時間および周波数リソースを含む。
【００１７】
実施形態に従って、ｅＮＢ１０２（図１）は、リソースブロック２００の所定のリソース要素２０４Ｃにおいて結合的にマルチノードＣＳＩ−ＲＳ２１４Ｃを伝送するように、第１協調地点１０４Ａおよび第２協調地点１０４Ｂを構成し得る。マルチノードＣＳＩ−ＲＳ２１４Ｃは、協調地点１０４Ａおよび１０４Ｂの両方によって、同じ時間および周波数リソース（即ち、リソース要素２０４Ｃ）中に伝送され得る。上記で議論されたように、ＰＭＩを含み、ＵＥ１０６（図１）からのフィードバックとして受信されるＣＳＩレポートは、コヒーレント結合伝送１０５（図１）のために第１および第２協調地点１０４Ａおよび１０４Ｂを構成するために使用され得る。
【００１８】
いくつかの実施形態において、マルチノードＣＳＩ−ＲＳの伝送のために２つのアンテナポートが使用されるとき、マルチノードＣＳＩ−ＲＳ２１４Ｃは、２ＴＸのＣＳＩ−ＲＳであり得る。もっとも、これは必要要件ではない。これらの実施形態において、ＰＭＩは２ＴＸのＰＭＩであり得る。
【００１９】
ｅＮＢ１０２はまた、リソースブロック２００のリソース要素２０４Ａにおいて第１シングルノードＣＳＩ−ＲＳ２１４Ａを伝送するように第１協調地点１０４Ａを構成し、リソースブロック２００のリソース要素２０４Ｂにおいて第２シングルノードＣＳＩ−ＲＳ２１４Ｂを伝送するように第２協調地点１０４Ｂを構成し得る。ｅＮＢ１０２は、コヒーレント結合伝送１０５の結合ビームフォーミングにおいて使用するための、両方のＣＳＩ−ＲＳ（即ち、シングルノードＣＳＩ−ＲＳ２１４ＡおよびシングルノードＣＳＩ−ＲＳ２１４Ｂ）に基づくＰＭＩを含む、追加のＣＳＩレポートをフィードバックとしてＵＥ１０６から受信し得る。これらの実施形態において、ｅＮＢ１０２は、結合伝送１０５のためにＵＥ１０６によって提供されるＰＭＩに基づく結合ビームフォーミングを実行するように、第１および第２協調地点１０４Ａおよび１０４Ｂを構成し得る。
【００２０】
いくつかの実施形態において、結合ビームフォーミングは、３以上の協調地点によって実行され得る。これらの実施形態において、ｅＮＢ１０２は、コヒーレント結合伝送１０５の結合ビームフォーミングにおいて使用するために３以上の協調地点によって伝送されたシングルノードＣＳＩ−ＲＳに基づくＰＭＩを含む追加のＣＳＩレポートをフィードバックとしてＵＥ１０６から受信し得る。これらの実施形態において、ｅＮＢ１０２は、コヒーレント結合伝送１０５のためにＵＥ１０６によって提供されるＰＭＩに基づいて結合ビームフォーミングを実行するように、３以上の協調地点を構成し得る。これらの実施形態において、コヒーレント結合伝送１０５を生成するために、協調地点の対間の相対位相もまた提供され得る。
【００２１】
いくつかの実施形態において、第１シングルノードＣＳＩ−ＲＳ２１４Ａを伝送するために第１協調地点１０４Ａが４つのアンテナポートを使用するとき、第１シングルノードＣＳＩ−ＲＳ２１４Ａは、４伝送アンテナポート（４ＴＸ）のＣＳＩ−ＲＳであり得る。いくつかの実施形態において、第２シングルノードＣＳＩ−ＲＳ２１４Ｂを伝送するために第２協調地点１０４Ｂが４つのアンテナポートを使用するとき、第２シングルノードＣＳＩ−ＲＳ２１４Ｂは、４ＴＸのＣＳＩ−ＲＳであり得る。これらの実施形態において、これらの参照信号に基づくＰＭＩは４ＴＸのＰＭＩであり得る。もっとも、実施形態の範囲はこの側面に限定されない。
【００２２】
いくつかの例示の実施形態において、第１協調地点１０４Ａは、４つのアンテナまたは４つのアンテナポートを使用してシングルノードＣＳＩ−ＲＳ２１４Ａを伝送し得、第２協調地点１０４Ｂは、４つのアンテナまたは４つのアンテナポートを使用してシングルノードＣＳＩ−ＲＳ２１４Ｂを伝送し得る。これらの例示の実施形態において、一方、マルチノードＣＳＩ−ＲＳ２１４Ｃが、協調地点１０４Ａに関連付けられた１つのアンテナポート２０１Ａと協調地点１０４Ｂに関連付けられた１つのアンテナポート２０１Ｂから成る２つのアンテナまたはアンテナポートによって送信され得る。
【００２３】
いくつかの実施形態に従って、マルチノードＣＳＩ−ＲＳ２１４Ｃを生成するために使用されるビットシーケンスは、構成可能な種（seed）から生成され得る。ｅＮＢ１０２は、構成可能な種をＵＥ１０６に通知するように構成され得る。これらの実施形態において、構成可能な種をＵＥ１０６に通知することにより、ＵＥ１０６は、マルチノードＣＳＩ−ＲＳ２１４Ｃを生成し、相対位相測定を実行することができ得る。
【００２４】
いくつかの実施形態において、協調地点１０４Ａおよび１０４Ｂは、異なるセルＩＤを有する異なるセルに関連付られ得る。しかし、マルチノードＣＳＩ−ＲＳ２１４Ｃは、これらのセルＩＤのいずれにも独立して生成され、同じビットシーケンスから生成されたＣＳＩ−ＲＳが各セルにおいて伝送されることを可能にし得る。
【００２５】
いくつかの実施形態において、マルチノードＣＳＩ−ＲＳ２１４Ｃは、第１協調地点１０４Ａのアンテナポート２０１Ａおよび第２協調地点１０４Ｂのアンテナポート２０１Ｂによって同時に伝送され得る。ＵＥ１０６は、伝送に適用された直交補完コード（ＯＣＣ）に基づいて、異なるアンテナポート上のマルチノードＣＳＩ−ＲＳ２１４Ｃの伝送を見分けるように構成され得る。これらの実施形態において、両協調地点（１０４Ａおよび１０４Ｂ）から伝送される参照信号（即ち、マルチノードＣＳＩ−ＲＳ２１４Ｃ）は同じビットシーケンスに基づき得るが、ＵＥ１０６は、伝送に適用された異なる直交補完コードに基づいて、異なるアンテナ（即ち、アンテナポート２０１Ａおよびアンテナポート２０１Ｂ）の伝送を見分け得る。もっとも、実施形態の範囲はこの側面に限定されない。これらの実施形態は以下でより詳しく議論される。
【００２６】
いくつかの実施形態において、ｅＮＢ１０２は、マルチノードＣＳＩ−ＲＳ２１４ＣのためのＣＳＩレポートをランク１のＰＭＩに制限するようにＵＥに示すように構成され得る。これらの実施形態において、ＵＥ１０６が拠点間位相差をレポートすることを許すように、マルチノードＣＳＩ−ＲＳ２１４ＣのためのＣＳＩレポートは、ランク１のＰＭＩに制限され得る。これらの実施形態において、より高い階層においてシグナルされ得る従来のコードブック部分集合制限パラメータを使用することにより、ランク制限は使用可能にし得る。コードブック部分集合制限は、各要素が異なるランクのＰＭＩに対応するビットマップであり得る。これらの実施形態において、協調地点１０４Ａおよび１０４Ｂのためのより高いランクのフィードバックは、より高いランク（即ち、１より大きいランク）のＰＭＩベクトルのためのビットをゼロに設定することにより、マルチノードＣＳＩ−ＲＳ２１４Ｃについて利用不可能にし得る。これらの実施形態において、マルチノードＣＳＩ−ＲＳ２１４ＣについてのＰＭＩ報告のランクをランク１に制限することにより、ＵＥ１０６に拠点間位相差をレポートすることを許す。２ＴＸのＣＳＩ−ＲＳの場合において、マルチノードＣＳＩ−ＲＳ２１４ＣのためのＣＳＩレポートは、ランク１の２ＴＸのＰＭＩに制限され得る。
【００２７】
いくつかの実施形態において、ｅＮＢ１０２はさらに、マルチノードＣＳＩ−ＲＳ２１４Ｃについてのチャネル品質表示（ＣＱＩ）およびランク表示（ＲＩ）の報告を使用不可能にするように、ＵＥ１０６に対して示すように構成され得る。これらの実施形態において、マルチノードＣＳＩ−ＲＳ２１４ＣについてのＣＳＩレポートは、相対位相情報を示すＰＭＩだけを含み、ＣＱＩまたはＲＩを含まないように構成され得る。これらの実施形態において、マルチノードＣＳＩ−ＲＳ２１４Ｃは主にＰＭＩフィードバックのために使用され、ＣＱＩおよびＲＩは必要とされないかもしれない。それに応じて、ＣＱＩおよびＲＩの報告は利用不可能にされ得る。いくつかの実施形態において、マルチノードＣＳＩ−ＲＳ２１４ＣのためのＣＱＩ及びＲＩの報告を利用不可能にするようにＵＥ１０６に示すために、より高い階層のシグナリング（例、無線リソース制御（ＲＲＣ）メッセージを介して）が使用され得る。いくつかの実施形態において、少なくともＣＱＩの報告またはＲＩの報告、の少なくとも１つは利用不可能にされる。いくつかの実施形態において、相対位相情報を示すために、マルチノードＣＳＩ−ＲＳ２１４ＣについてＰＭＩベクトル（例、マルチノードＰＭＩ）だけを報告するように、ＵＥ１０６は指示され得る。いくつかの実施形態において、マルチノードＣＳＩ−ＲＳ２１４ＣについてのＰＭＩ報告のランクをランク１に制限すること、および、ＣＱＩおよびＲＩの報告を利用不可能にすることは、これは必要要件ではないが、１つの構成セッション中に行われ得る。
【００２８】
いくつかの実施形態において、ノード間位相差をシグナルするために、要素の異なる係数（modulus）を有するコードブックエントリーが使用され得る。実施形態の範囲はこの側面において限定されないが、いくつかの実施形態において、ランク１の報告ＰＭＩは、相対位相情報を示すための、コードブックからの定量化された位相値を含む所定の構造を有する一定絶対値特性（constant  modulus  property）を持ち得る。これらの実施形態において、ランク１のＰＭＩは、ベクトルであり得、相対位相情報は該ベクトルの第２要素上で報告され得る。これらの実施形態において、ＵＥ１０６は、相対位相情報を報告するために、従来のＰＭＩフィードバックの枠組みを使用し得る。
【００２９】
これらの実施形態のいくつかにおいて、ランク１のＰＭＩの所定の構造は、［１  ｅｘｐ（１ｉ＊φ）]Ｔとして表し得る。ここで、φは相対位相情報を表し、「ｉ」は虚数、そしてＴは行列転置である。ＬＴＥの２ＴＸコードブックを使用する実施形態において、φは、集合｛０、π／２、−π、および−π／２｝等の集合から選択される定量化位相値であり得る。ＵＥ１０６は、ＬＴＥの２ＴＸコードブックに関して相対位相を定量化し得、２ＴＸのＰＭＩにおける表示のための集合の定量化位相値の１つを選択し得る。もっとも、実施形態の範囲はこの側面において限定されない。
【００３０】
いくつかの代替的な実施形態において、位相定量化のより細かい粒度が提供され得る。これらの実施形態において、より大きいサイズの拡張コードブックが使用され得る。例えば、もし、位相定量化のより細かい粒度を有するコードブックが使用されるならば、ＵＥ１０６は、そのコードブックに関して相対位相を定量化し得、ＣＳＩレポートにおける表示についての集合の定量化位相値の１つを選択し得る。例えば、実施形態の範囲はこの側面において限定されるものではないが、集合｛０、π／４、π／２、３π／４、π、−３π／４、−π／２、−π／４｝等の集合から選択された定量化位相値である。
【００３１】
いくつかの実施形態において、ＣＳＩレポートは、各ＣＳＩ−ＲＳについて提供され得る。いくつかの実施形態において、ＣＳＩレポートは、マルチノードＰＭＩおよびシングルノードＰＭＩを含み、ＵＥ１０６によって、物理上りリンク制御チャネル（ＰＵＣＣＨ）等の上りリンク制御チャネル上で、または、物理上りリンク共有チャネル（ＰＵＳＣＨ）等の上りリンク共有チャネル上で、伝送され得る。これらの実施形態において、シングルノードＣＳＩ−ＲＳ２１４ＡおよびシングルノードＣＳＩ−ＲＳ２１４ＢのためのＣＳＩレポートは、ＣＱＩ、ＲＩおよびＰＭＩを含み得る。上記で議論されたように、マルチノードＰＭＩのためにＣＱＩおよびＲＩの報告を利用不可能にすることによって、上りリンク制御チャネル上のオーバヘッドおよび干渉が削減され得る。もっとも、これは必要要件ではない。
【００３２】
図２において示された例において、シングルノードＣＳＩ−ＲＳ２１４Ａ、シングルノードＣＳＩ−ＲＳ２１４ＢおよびシングルノードＣＳＩ−ＲＳ２１４Ｃは、同時に（即ち、リソースブロック２００の同じシンボル時間２０６の間に）伝送される。しかし、これは必要要件ではなく、これらの参照信号はまた、異なるシンボル時間において伝送され得る。
【００３３】
図２において示された例において、第１シングルノードＣＳＩ−ＲＳ２１４Ａは、第１および第２サブキャリア２０８Ａおよび２１８Ａ上で同時に伝送され、第２シングルノードＣＳＩ−ＲＳ２１４Ｂは、第３および第４サブキャリア２０８Ｂおよび２１８Ｂ上で同時に伝送され、そして、マルチノードＣＳＩ−ＲＳ２１４Ｃは、第５サブキャリア２０８Ｃ上で同時に伝送される。実施形態の範囲は、図２に示された構成に限定されず、他の構成もまた使用され得る。いくつかの実施形態において、１つのアンテナ集合のためのＣＳＩ−ＲＳ（例、ＣＳＩ−ＲＳ２１４Ａ）は、ＬＴＥ規格に従って、あるリソース要素にマッピングされ得る。しかし、異なるアンテナ集合のためのＣＳＩ−ＲＳは、お互いから独立して構成され得る。
【００３４】
図２において示された例において、第１シングルノードＣＳＩ−ＲＳ２１４Ａはリソース要素２０４Ａにおいて伝送され、第２シングルノードＣＳＩ−ＲＳ２１４Ｂはリソース要素２０４Ｂにおいて伝送され、マルチノードＣＳＩ−ＲＳ２１４Ｃはリソース要素２０４Ｃにおいて伝送される。この例において、
サブキャリア２０８Ａのリソース要素２０４Ａ、サブキャリア２１８Ａのリソース要素２０４Ａ、サブキャリア２０８Ｂのリソース要素２０４Ｂ、サブキャリア２１８Ｂのリソース要素２０４Ｂ、および、サブキャリア２０８Ｃのリソース要素２０４Ｃは、それぞれ、リソースブロック２００のシンボル時間９および１０における２つの連続するリソース要素を含み得る。もっとも、これは必要要件ではなく、他のシンボル時間が使用され得る。これらの例示の実施形態において、第１シングルノードＣＳＩ−ＲＳ２１４Ａおよび第２シングルノードＣＳＩ−ＲＳ２１４Ｂは、ビームフォーミングフィードバックのために使用され、マルチノードＣＳＩ−ＲＳ２１４Ｃは、位相推定フィードバックのために使用され得る。これらの実施形態のいくつかにおいて、コヒーレント結合伝送１０５は、複数の空間チャネルを利用するＭＩＭＯ伝送であり得、協調地点１０４Ａおよび１０４Ｂは、結合ビームフォーミングを実行するように構成し得る。
【００３５】
実施形態に従って、第１シングルノードＣＳＩ−ＲＳ２１４Ａ、第２シングルノードＣＳＩ−ＲＳ２１４Ｂ、および、マルチノードＣＳＩ−ＲＳ２１４Ｃは、ＵＥ１０６が、異なるアンテナポートからの参照信号の伝送を見分けられるように、各アンテナポートのために独自に符号化され得る。
【００３６】
図２において示される例示の実施形態において、各シングルノードＣＳＩ−ＲＳは、２倍のアンテナまたはアンテナポートのための参照信号を提供するために、マルチノードＣＳＩ−ＲＳの２倍のリソース要素を占め得る。異なる参照信号はまた、フレームの異なるリソース要素を占め得る。ＵＥ１０６は、特定の信号についてどこをサーチすべきかを先験的に知り得るので、ＵＥ１０６は、信号を見分けることができ得る。各異なるＣＳＩ−ＲＳは、異なるビットシーケンスを用いて変調され得、該異なるビットシーケンスは、上記で議論されたように種から生成され得る。該ビットシーケンスは、疑似ランダムビットシーケンスであり得る。いくつかのＬＴＥ実施形態において、特定のビットシーケンスは、参照信号を伝送している協調地点１０４に関連付けられたセルＩＤパラメータに基づいて導出され得る。なお、第１シングルノードＣＳＩ−ＲＳ２１４Ａおよび第２シングルノードＣＳＩ−ＲＳ２１４Ｂは、異なるセルＩＤに関連付られ得る。一方、マルチノードＣＳＩ−ＲＳ２１４Ｃは、該異なるセルＩＤに対して独立であり得る。
【００３７】
実施形態に従って、1対のアンテナポートの異なるアンテナポートから伝送されたマルチノードＣＳＩ−ＲＳ（マルチノードＣＳＩ−ＲＳ２１４Ｃのような）は、時間領域における２つの連続するリソース要素にマッピングされる長さ２の２つの異なる直交補完符号（ＯＣＣ）の適用によって（ａ＝［１，１］およびａ＝［１，−１］）見分けられ得る。ランダム化のために、異なる物理リソースブロック（ＰＲＢ）（周波数領域における）におけるＣＳＩ−ＲＳリソース要素（例、２つの連続するリソース要素）の各対に対してＣＳＩ−ＲＳのためのスクランブル系列が適用され得る。上記で議論されたように、マルチノードＣＳＩ−ＲＳ２１４Ｃは、一方、構成可能で、且つ、セル識別またはセルＩＤに依存しない、ＣＳＩ−ＲＳシーケンススクランブル種に基づいて生成され得る。
【００３８】
いくつかの実施形態において、マルチノードＣＳＩ−ＲＳ２１４ＣのためのＣＳＩレポートは、非周期的ＣＳＩレポートモードおよび周期的ＰＵＣＣＨ０−１ＣＳＩレポートモードに従って構成され得る。非周期的ＣＳＩレポートモードは、非周期的ＰＵＳＣＨ０−１ＣＳＩレポートモード、ＰＵＳＣＨ０−２ＣＳＩレポートモード、および周期的ＰＵＣＣＨ０−１ＣＳＩレポートモードを含み得る。もっとも、実施形態の範囲はこの側面において限定されない。これらの実施形態において、「０」の第１インデックスはＣＱＩ報告無し（ＣＳＩレポートモードはＣＱＩを含まない）を示し、一方、「１」の第２インデックスはＰＭＩが含まれることを示す。これらの実施形態において、マルチノードＣＳＩ−ＲＳ２１４ＣのためのＣＳＩレポートは、ＣＱＩを含む必要がない。これらの実施形態において、ｅＮＢ１０２は、ＵＥ１０６を、非周期的ＰＵＳＣＨ０−１ＣＳＩレポートモード、ＰＵＳＣＨ０−２ＣＳＩレポートモード、および周期的ＰＵＣＣＨ０−１ＣＳＩレポートモードの１つに従ったＣＳＩレポートをするように構成し得る。
【００３９】
いくつかのＬＴＥ実施形態に従って、「１」の第１インデックスは広帯域ＣＱＩ報告を示し得、「２」の第１インデックスはサブバンドＣＱＩ報告を示し得、そして、「３」の第１インデックスは、上位階層設定サブバンドＣＱＩを示し得る。これらの実施形態において、「１」の第２インデックスは単一ＰＭＩ報告を示し得、「２」の第２インデックスは複数ＰＭＩ報告を示し得る。もっとも、実施形態の範囲はこの側面において限定されない。
【００４０】
図３は、いくつかの実施形態に従ったｅＮＢの機能図である。ｅＮＢ３００は、ｅＮＢ１０２（図１）として使用するためにふさわしいかもしれない。ｅＮＢ３００は、信号をＲＲＨと送受信するためのインターフェイス回路３０２を含み得る。ｅＮＢ３００はまた、本明細書において記載されるさまざまなオペレーションを実行するように構成された処理回路３０４およびメモリ３０６を含み得る。ＲＲＨは物理（ＰＨＹ）階層回路を含み得、一方、処理回路３０４は、メディアアクセス制御（ＭＡＣ）階層を含み得る。もっとも、これは必要要件ではない。いくつかの実施形態において、ベースバンド信号は、リンク１０３上で通信され得る。
【００４１】
他の実施形態において、ｅＮＢ３００は、無線チャネル上でＵＥ１０６と信号を交換するためのアンテナシステムを含み得る。これらの実施形態のいくつかにおいて、ｅＮＢ３００は、協調地点１０４Ａおよび１０４Ｂの１つであり得、他の協調地点は、リンク１０３を介してｅＮＢ３００に接続されたＲＲＨ、バックホール（backhaul）ネットワークを介してｅＮＢ３００と協調伝送する他のｅＮＢ、または、両者の組合せであり得る。
【００４２】
ｅＮＢ３００は、いくつかの別々の機能要素を有するように示されているが、機能要素の１つ以上は、組合わせられ得、そして、デジタル信号プロセッサ（ＤＳＰ）を含む処理要素等のソフトウェア的に構成された要素、および／または、他のハードウェア要素の組合せによって実装され得る。例えば、いくつかの要素は、少なくとも本明細書に記載された機能を実行するための、１以上のマイクロプロセッサ、ＤＳＰ、アプリケーション特定集積回路（ＡＳＩＣ）、無線周波数集積回路（ＲＦＩＣ）およびさまざまなハードウェアの組合せ、および論理回路を含み得る。いくつかの実施形態において、機能要素は、１以上の処理要素上でオペレーションする１以上の処理を参照する。
【００４３】
実施形態は、ハードウェア、ファームウェアおよびソフトウェアの１つまたは組合せにおいて実装され得る。実施形態はまた、コンピュータ可読格納媒体上に格納される命令として実装され得、該命令は、少なくとも１つのプロセッサによって読み取られ実行され、本明細書において記載されたオペレーションを実行し得る。コンピュータ可読格納媒体は、機械（例、コンピュータ）によって読み取り可能な形式において情報を格納するためのいかなる非一時的機構を含み得る。例えば、コンピュータ可読格納媒体は、リードオンリメモリ（ＲＯＭ）、ランダムアクセスメモリ（ＲＡＭ）、磁気ディスク記憶媒体、光記憶媒体、フラッシュメモリデバイス、および他の記憶デバイスおよび媒体を含み得る。これらの実施形態において、ＵＥ１０６の１以上のプロセッサは、本明細書において記載されたオペレーションを実行するための命令で構成され得る。
【００４４】
図１に戻って参照し、いくつかの実施形態において、ＵＥ１０６は、１以上のキーボード、ディスプレイ、不揮発性メモリポート、マルチアンテナ、グラフィックプロセッサ、アプリケーションプロセッサ、スピーカおよび他のモバイルデバイス要素を含み得る。ディスプレイは、タッチスクリーンを含むＬＣＤスクリーンであり得る。協調地点１０４およびＵＥ１０６によって使用される１以上のアンテナは、例えば、ダイポールアンテナ、モノポールアンテナ、パッチアンテナ、ループアンテナ、マイクロストリップアンテナ、または他のタイプの、ＲＦ信号の伝送に適したアンテナを含む、１以上の指向性または無指向性アンテナを含む。いくつかの実施形態において、２以上のアンテナの代わりに、複数のアパーチャー（aperture）を有する単一アンテナが使用され得る。これらの実施形態において、各アパーチャーは別々のアンテナと考えられ得る。ＭＩＭＯ実施形態において、該アンテナは、２つの通信局のアンテナ間で生じ得る空間ダイバーシティおよび異なるチャネル特性を利用するために、効果的に分離され得る。いくつかのＭＩＭＯ実施形態において、１波長の１／１０単位まで、またはそれ以上で分離され得る。ＬＴＥ実施形態において、アンテナは、一緒にオペレーションする１以上のアンテナを参照するアンテナポートを参照し得る。
【００４５】
いくつかの実施形態において、ＵＥ１０６は、マルチキャリア通信チャネル上でＯＦＤＭ通信信号を受信するように構成され得る。ＯＦＤＭ信号は、複数の直交サブキャリアを含み得る。いくつかの広帯域マルチキャリア実施形態において、ｅＮＢ１０２は、マイクロ波アクセスのための全世界相互運用性（ＷｉＭＡＸ）通信ネットワーク、または、第３世代パートナーシッププロジェクト（３ＧＰＰ）ユニバーサル地上無線アクセスネットワーク（ＵＴＲＡＮ）長期的進化（ＬＴＥ）、または、長期的進化アドバンスト（ＬＴＥ−Ａ）通信ネットワーク等の広帯域無線アクセス（ＢＷＡ）ネットワーク通信ネットワークの一部であり得る。もっとも、本開示の範囲はこの側面において限定されない。これらの広帯域マルチキャリア実施形態において、ＵＥ１０６およびｅＮＢ１０２は、直交周波数分割多元接続（ＯＦＤＭＡ）技術に従って通信するように構成され得る。ＵＴＲＡＮ−ＬＴＥ標準は、ＵＴＲＡＮ−ＬＴＥのための第３世代パートナーシッププロジェクト（３ＧＰＰ）標準リリース８、２００８年３月、およびリリース１０、２０１０年１２月を含み、その派生および進化を含む。
【００４６】
いくつかのＬＴＥ実施形態において、無線リソースの基本単位は、リソースブロック２００（図２）等のＰＲＢである。ＰＲＢは、周波数領域における１２サブキャリア×時間領域における０．５ミリ秒（ｍｓ）を含み得る。ＰＲＢは対において（時間領域における）
割り当てられ得る。これらの実施形態において、ＰＲＢは、１シンボル当たり１サブキャリアを含み得るリソース要素を複数個含み得る。これらのＬＴＥ実施形態において、ｅＮＢによって伝送され得る参照信号のタイプは、復調参照信号（ＤＭ−ＲＳ）、上記で議論されたＣＳＩ−ＲＳ、および／または、共通参照信号（ＣＲＳ）を含む。ＤＭ−ＲＳは、ＵＥ１０６によって、データ復調のために使用され得る。参照信号は、所定のＰＲＢにおいて伝送され得る。
【００４７】
いくつかの実施形態において、ＯＦＤＭＡ技術は、上りリンクと下りリンクで異なるスペクトラムを使用する周波数領域複信（ＦＤＤ）技術、または、上りリンクと下りリンクで同じスペクトラムを使用する時間領域複信（ＴＤＤ）技術であり得る。
【００４８】
いくつかの実施形態において、ＵＥ１０６は、パーソナルデジタルアシスタント（ＰＤＡ）、無線通信機能付きのラップトップまたはポータブルのコンピュータ、ウェブタブレット、無線電話、無線ヘッドセット、ページャ、インスタントメッセージングデバイス、デジタルカメラ、アクセスポイント、テレビ、医療デバイス（例、心拍モニター、血圧モニター、等）、または、情報を無線で受信および／または送信し得る他のデバイス、の一部であり得る。
【００４９】
いくつかのＬＴＥ実施形態において、ＵＥ１０６は、閉ループ空間多重伝送モードのためのチャネル適応を実行するために使用され得るいくつかの異なるフィードバック値を計算し得る。これらのフィードバック値は、上記で議論された、ＣＱＩ、ＲＩ、およびＰＭＩを含み得る。該ＣＱＩから、送信機は、いくつかの変調アルファベットおよび符号化率の組合せの１つを選択する。ＲＩは、送信機に、現在のＭＩＭＯチャネルのための有効な伝送階層の数について通知し、ＰＭＩは、送信機で適用されるプリコーディング行列のコードブックのインデックス（伝送アンテナの数に依存する）を示す。ｅＮＢ１０２に使用される符号化率はＣＱＩに基づき得る。ＰＭＩは、ＵＥによって計算され、ｅＮＢ１０２に報告されるベクトルであり得る。いくつかの実施形態において、ＵＥ１０６は、ＣＱＩ、ＰＭＩ、および／または、ＲＩを含むフォーマット２、２ａまたは２ｂのＰＵＣＣＨを伝送し得る。
【００５０】
これらの実施形態において、ＣＱＩは、ＵＥ１０６によって経験された下りリンクモバイル無線チャネル品質の表示であり得る。ＣＱＩは、結果的にトランスポートブロックエラー率が或る値（例えば１０％）を超えないように、与えられた無線リンク品質のために使用する最適の変調スキームおよび符号化率を、ＵＥ１０６がｅＮＢ１０２に提案できるようにする。いくつかの実施形態において、ＵＥ１０６は、システム帯域幅のチャネル品質を参照する広帯域ＣＱＩ値を報告し得る。ＵＥ１０６はまた、上位階層によって構成され得る或る数のリソースブロックのサブバンドについてのサブバンドＣＱＩ値を報告し得る。サブバンドの全体集合はシステム帯域幅をカバーし得る。空間多重の場合、符号語毎のＣＱＩが報告され得る。
【００５１】
いくつかの実施形態において、ＰＭＩは、与えられた無線状態のためにｅＮＢ１０２によって使用される最適なプリコーディング行列を示し得る。ＰＭＩ値は、コードブック表を参照し得る。ネットワークは、ＰＭＩ報告によって表されるリソースブロックの数を構成する。いくつかの実施形態において、システム帯域幅をカバーするために、複数のＰＭＩ報告が提供され得る。ＰＭＩ報告はまた、閉ループ空間多重、マルチユーザＭＩＭＯ、および、ＭＩＭＯモードのための閉ループランク１プリコーディング、のために提供され得る。
【００５２】
図４は、いくつかの実施形態に従った、コヒーレント結合伝送のための手順である。手順４００は、ｅＮＢ１０２（図１）等のｅＮＢによって実行され得る。
【００５３】
オペレーション４０２において、ｅＮＢ１０２は、相対位相推定のために、所定のリソース要素において２ＴＸのＣＳＩ−ＲＳを結合伝送するように、第１協調地点および第２協調地点を構成し得る。いくつかの実施形態において、２ＴＸのＣＳＩ−ＲＳを生成するために使用されるビットシーケンスは、構成可能な種から生成され得、ｅＮＢ１０２は、ＵＥ１０６が２ＴＸのＣＳＩ−ＲＳを生成できるように、ＵＥ１０６に構成可能な種を通知し得る。
【００５４】
オペレーション４０４において、ｅＮＢ１０２は、少なくともビームフォーミングのために、所定のリソース要素において４ＴＸのＣＳＩ−ＲＳをそれぞれ伝送するように、第１および第２協調地点を構成し得る。
【００５５】
オペレーション４０６において、ｅＮＢ１０２は、２ＴＸのＣＳＩ−ＲＳのためのＣＳＩレポートをランク１の２ＴＸのＰＭＩに限定するように、ＵＥ１０６に示し得る。
【００５６】
オペレーション４０８において、ｅＮＢ１０２は、ＣＳＩレポートを、ＵＥ１０６からのフィードバックとして受信し得る。ＣＳＩレポートは、マルチノードＣＳＩ−ＲＳ２１４Ｃに基づいた２ＴＸのＰＭＩを含み得、該２ＴＸのＰＭＩは、第１および第２協調地点間の相対位相情報を示し得る。
【００５７】
オペレーション４１０において、ｅＮＢ１０２は、追加のＣＳＩレポートを、ＵＥ１０６からのフィードバックとして受信し得る。追加のＣＳＩレポートは、両方の４ＴＸのＣＳＩ−ＲＳに基づく４ＴＸのＰＭＩを含み得る。
【００５８】
オペレーション４１２において、ｅＮＢ１０２は、ＵＥ１０６によって提供される２ＴＸのＰＭＩおよび４ＴＸのＰＭＩに基づくビームフォーミング伝送であるコヒーレント結合伝送１０５（図１）のための信号を生成するように、第１および第２協調地点を構成し得る。
【００５９】
図１に戻って参照し、いくつかの実施形態において、ｅＮＢ１０２は、リソースブロックの所定のリソース要素において結合的にマルチノードＣＳＩ−ＲＳを伝送するように、少なくとも第１協調地点１０４Ａおよび第２協調地点１０４Ｂを構成し得、ＣＳＩレポートをＵＥ１０６からのフィードバックとして受信し得る。ＣＳＩレポートは、マルチノードＣＳＩ−ＲＳに基づいて第１および第２協調地点間の相対位相情報を示すＰＭＩを含み得る。ｅＮＢ１０２はまた、少なくとも相対位相情報に基づいて、ＵＥ１０６へのコヒーレント結合伝送のために少なくとも第１および第２協調地点を構成し得る。協調ポイント１０４Ａおよび１０４Ｂのそれぞれによって伝送されるマルチノードＣＳＩ−ＲＳは区別可能であり得る。ｅＮＢ１０２は、マルチノードＣＳＩ−ＲＳのためのＣＳＩレポートを、ランク１のＰＭＩに制限するようにＵＥ１０６に示すように構成し得る。第１および第２協調地点１０４Ａおよび１０４Ｂは、異なるセルＩＤを有する異なるセルに関連付られ得、協調地点１０４Ａおよび１０４Ｂのそれぞれによって伝送されるマルチノードＣＳＩ−ＲＳは、セルＩＤと独立である。
【００６０】
これらの実施形態のいくつかにおいて、協調地点１０４Ａおよび１０４Ｂのそれぞれによって伝送されるマルチノードＣＳＩ−ＲＳは、ＮＴＸのＣＳＩ−ＲＳである。ここで、Ｎは、協調地点によって同時にマルチノードＣＳＩ−ＲＳを伝送するために使用されるアンテナの数に対応する。ＰＭＩはＮ倍のＴＸのＰＭＩであり得る。これらの実施形態において、Ｎは、協調地点の数に応じて２から８以上であり得る。いくつかの実施形態において、各協調地点は、シングルアンテナを用いてマルチノードＣＳＩ−ＲＳを伝送するように構成され得る。
【００６１】
これらの実施形態のいくつかにおいて、２つの協調地点が使用されるとき、該２つの協調地点は、位相測定のために２ＴＸのＣＳＩ−ＲＳを伝送するように構成され得る。該位相測定において、各協調地点はシングルアンテナを用いてＣＳＩ−ＲＳを伝送し得る。４つの協調地点が使用されるとき、該４つの協調地点は、位相測定のために４ＴＸのＣＳＩ−ＲＳを伝送するように構成され得る。該位相測定において、各協調地点はシングルアンテナを用いてＣＳＩ−ＲＳを伝送し得る。８つの協調地点が使用されるとき、該８つの協調地点は、位相測定のために８ＴＸのＣＳＩ−ＲＳを伝送するように構成され得る。該位相測定において、各協調地点はシングルアンテナを用いてＣＳＩ−ＲＳを伝送し得る。これらの実施形態は、ＵＥがシングルＣＳＩ−ＲＳ伝送に基づいて位相情報を測定することを許す。これらの実施形態において、各アンテナによって伝送される参照信号は、たとえ各協調地点が異なるセルに関連付けられ得ても、互いに区別することができ得、同じビットシーケンスから生成され得る。これは、ビットシーケンスがセルＩＤと関連付けられている従来システムと異なる。
【００６２】
いくつかの他の実施形態において、２ＴＸのＣＳＩ−ＲＳは、４つの協調地点によって使用され得る。これらの実施形態において、４つの協調地点の各対は、２ＴＸのＣＳＩ−ＲＳを別々に伝送するように構成され得、ＵＥは、各伝送対のための位相測定を実行し得る。この例においては、３つの異なる協調地点の対が２ＴＸのＣＳＩ−ＲＳを別々に伝送するように構成され得る。これらの実施形態において、ＵＥは、協調地点の対間の相対位相情報を示す４ＴＸのＰＭＩを報告し得る。
【００６３】
本明細において開示された実施形態は、いかなる数のノードに参照信号を伝送させるように構成すること、参照信号間の相対位相情報を測定し報告するようにＵＥを構成すること、そして、相対位相情報に基づいてＵＥに対するコヒーレント結合伝送を構成することに適用可能である。
【００６４】
いくつかの実施形態は、４つのアンテナを有する協調地点１０４を用いて示されているが、実施形態の範囲は、この側面において限定されない。さらに、各協調地点が同じ数のアンテナを持つということは必要ではない。それに応じて、ＣＳＩ−ＲＳは使用されるアンテナの数に基づいて構成され得、１ＴＸ、２ＴＸ、４ＴＸ、８ＴＸ、および他のＣＳＩ−ＲＳを含み得る。本明細書において使用される用語「アンテナ」は、物理的なアンテナではなくアンテナポートを参照し得る。
【００６５】
いくつかの実施形態において、マルチノードＣＳＩ−ＲＳは、第１協調地点の第１アンテナおよび第２協調地点の第２アンテナによって同時に伝送され得、ＵＥは、シーケンスに適用された直交補完符号に基づいて第１および第２アンテナ上のマルチノードＣＳＩ−ＲＳの伝送を区別するように構成され得る。これらの実施形態のいくつかにおいて、ランク１のＰＭＩは、相対位相情報を示すＮＴＸコードブックからの定量化位相値を含む所定の構造を有する一定絶対値特性を持ち得る。
【００６６】
いくつかの実施形態において、ｅＮＢはまた、リソースブロックの第１リソース要素において第１シングルノードＣＳＩ−ＲＳを伝送するように第１協調地点を構成し得、リソースブロックの第２リソース要素において第２シングルノードＣＳＩ−ＲＳを伝送するように第２協調地点を構成し得、追加のＣＳＩレポートをＵＥからのフィードバックとして受信するように構成し得る。追加のＣＳＩレポートは、コヒーレント結合伝送の結合ビームフォーミングにおいて使用するためのシングルＣＳＩ−ＲＳのそれぞれのためのシングルノードＰＭＩを含み得る。
【００６７】
いくつかの実施形態において、第１シングルノードＣＳＩ−ＲＳ、第２シングルノードＣＳＩ−ＲＳ、および、マルチノードＣＳＩ−ＲＳは、各アンテナポートのために一意に符号化され、異なるアンテナポートからの伝送をＵＥが区別することを許す。第１シングルノードＣＳＩ−ＲＳはＮＴＸのＣＳＩ−ＲＳであり得、ここで、Ｎは、第１シングルノードＣＳＩ−ＲＳを伝送するために第１協調地点によって使用されるアンテナポートの数に対応する。第２シングルノードＣＳＩ−ＲＳは、ＮＴＸのＣＳＩ−ＲＳであり得、ここで、Ｎは、第２シングルノードＣＳＩ−ＲＳを伝送するために第２協調地点によって使用されるアンテナポートの数に対応する。
【００６８】
シングルノードＣＳＩ−ＲＳを伝送するために各協調地点によって同じ数のアンテナポートが使用されることは必要ではない。いくつかの実施形態において、協調地点１０４Ａおよび１０４Ｂ等の協調地点は、シングルノードＣＳＩ−ＲＳを伝送するために異なる数のアンテナを使用し得る。もっとも、実施形態の範囲は、この側面において限定されない。
【００６９】
要約は、技術的開示の性質及び要点を読者が把握することを許すような要約を要求する連邦規則集３７巻（３７Ｃ．Ｆ．Ｒ）セクション１．７２（ｂ）に従うように提供されている。要約は、クレームの範囲または意味を限定または解釈するために使用されないと理解して提出される。以下のクレームは、これによって詳細な説明に取り込まれ、各クレームは別個の実施形態として独立している。
【００７０】
本出願は、２０１２年１月２７日に出願された米国仮特許出願番号６１／５９１，６４１の優先権を主張する２０１２年６月１８日に出願された米国特許出願番号１３／５２５，５０９、の優先権を主張し、これら出願のすべては、参照によりその全体が本明細書に組み込まれる。
【図１】
0005940681.tif 000002
【図２】
0005940681.tif 000003
【図３】
0005940681.tif 000004
【図４】
0005940681.tif 000005